(57)【特許請求の範囲】
【請求項１】
２分割された開閉自在とされた筐体内に、基材に転写媒体が塗布された転写テープが巻装された送出コア、転写テープのうちの転写媒体が被転写体へ転写された後の基材を巻き取る巻取コア、及び転写テープの転写媒体を被転写体へ転写する転写部を備え、少なくとも、使用後の、基材が巻き取られた巻取コア及び送出コアを未使用のそれらと交換可能な構造とされた転写具であって、前記筐体を、主に対向面とこの対向面と直交して隣接する隣接面の２面で構成された、一方側と他方側とに分割すると共に、前記転写部が位置する側と反対側に該一方側と該他方側の開閉軸部を設けて扇状に開閉する構造とし、さらに、交換可能な部材を配置した基板を有し、一方側、他方側の少なくとも一方の筐体の内面と対向する前記基板に、該筐体の内面を外側へ付勢する付勢部材を設けたことを特徴とする転写具。
【請求項２】
交換可能な部材のうちの巻取コア又は送出コアの軸内に、筐体へ装入される前には巻取コア又は送出コアの自由回転を阻止し、該筐体へ装入されて該筐体が閉状態となったときには前記自由回転の阻止を解除する回転ロック部材を設けたことを特徴とする請求項１に記載の転写具。
【請求項３】
一方側と他方側の筐体の内側に、外圧に対抗する支承部を設けたことを特徴とする請求項１又は２に記載の転写具。
【発明の詳細な説明】
【技術分野】
【０００１】
本発明は、２分割されて開閉可能な筐体を有し、内部部材を詰め替え交換可能な転写具に係り、特に筐体を手指で把持したり使用時に操作のために押圧することで発声する歪みや軋み、及び異音を抑制する技術に関する。
【背景技術】
【０００２】
転写媒体を紙などの被転写体に転写する転写具は、主要構成として、筐体内に、基材に転写媒体が塗布された転写テープが巻装された送出コア、転写テープのうちの転写媒体が被転写体へ転写された後の基材を巻き取る巻取コア、及び転写テープの転写媒体を被転写体へ転写する転写部を備えている。なお、本願において、転写テープ、転写媒体、基材を個別に説明しない限り、送出側に巻装された転写テープ、巻取側に巻装された基材、を総称して「基材」と言うこととする。
【０００３】
上記構成の転写具には、様々な形態、形状のものが存在するが、そのうち、使用済みとなった送出コアと基材を巻装した巻取コアを新たなものに詰め替える詰替タイプのものが、例えば特開平１１−５９０７６号公報（特許文献１）や、特開平９−１５６８２４号公報（特許文献２）を含め、多数提案されている。
【０００４】
なお、詰替は、少なくとも、使用済みの送出コアと巻取コアを取り出して、これらに対応する新たな未使用の（転写テープを巻装した）送出コアと、未だ基材をリード部分以外は巻き取っていない巻取コアとを１セットとして交換する。以下、交換される部材を「交換部材」と総称する。
【０００５】
詰替タイプの転写具は、使用済みの交換部材を筐体内から取り出し、また、未使用の交換部材を筐体内に装入する必要がある。よって、例えば特許文献１，２に示されるように、筐体は、基材幅方向において一方を本体、他方を蓋体に２分割し、これら分割された筐体の本体と蓋体とをヒンジを介して開閉する構成としている。
【０００６】
特許文献１は、転写部を介して基材の送り出し側と巻き取り側の方向（以下、「垂直方向」）に開閉するように、ヒンジが筐体の垂直方向の送り出し側の面又は巻き取り側の面に設けられている。特許文献２は、転写部が位置する側とこの反対側の方向（以下、「水平方向」という）に開閉するように、ヒンジが筐体の水平方向の転写部が位置する側の反対側の面に設けられている。
【０００７】
しかし、特許文献１，２のように、ヒンジを用いて２分割された筐体の本体に対して蓋体を開いて交換部材を詰め替える場合、基材幅方向の略中央で筐体が本体と蓋体とで分割部（以下、「セパレート部」）が現れるので、使用する際に、筐体を把持したり操作する手指でセパレート部が押圧されると、歪みや軋みが発生し、異音が発生するなどの不具合が生じていた。
【先行技術文献】
【特許文献】
【０００８】
【特許文献１】特開平１１−５９０７６号公報
【特許文献２】特開平９−１５６８２４号公報
【発明の概要】
【発明が解決しようとする課題】
【０００９】
解決しようとする問題は、特許文献１，２のように２分割した筐体を開閉して交換部材を交換する構造では「セパレート部」が手指で把持する力あるいは使用時に押圧する力がかかると、歪みや軋みが発生し、異音が発生するなどの不具合が生じる点、である。
【課題を解決するための手段】
【００１０】
上記課題を解決するため、本発明は、２分割された開閉自在とされた筐体内に、基材に転写媒体が塗布された転写テープが巻装された送出コア、転写テープのうちの転写媒体が被転写体へ転写された後の基材を巻き取る巻取コア、及び転写テープの転写媒体を被転写体へ転写する転写部を備え、少なくとも、使用後の、基材が巻き取られた巻取コア及び送出コアを未使用のそれらと交換可能な構造とされた転写具であって、前記筐体を、主に対向面とこの対向面と直交して隣接する隣接面の２面で構成された、一方側と他方側とに分割すると共に、前記転写部が位置する側と反対側に該一方側と該他方側の開閉軸部を設けて扇状に開閉する構造とし、さらに、交換可能な部材を配置した基板を有し、一方側、他方側の少なくとも一方の筐体の内面と対向する前記基板に、該筐体の内面を外側へ付勢する付勢部材を設けたことを最も主要な特徴とする。
【発明の効果】
【００１１】
上記構成のように、本発明は、対向面とこの対向面と直交して隣接する隣接面の２面で構成された一方側と他方側に筐体を分割しているので、手指で把持する力あるいは使用時に押圧する力がかかるセパレート部が筐体の幅方向の面の中央ではなく、基材幅方向の端部に現れるので、セパレート部に力がかかることによる歪みや軋み、これに伴う異音の発生を抑制できる。また、本発明は、一方側と他方側に分割した筐体を開閉軸部を中心に扇状に開閉するので、筐体の交換部材に対する装脱開口を広く確保することができる。
【図面の簡単な説明】
【００１２】
【図１】本発明の転写具の外観を示す図である。
【図２】（ａ）〜（ｃ）は本発明の転写具における筐体と開閉の構造を示す図である。
【図３】本発明の転写具における、（ａ）は交換部材を示す図、（ｂ）は回止部を示す図、である。
【図４】（ａ）は本発明の転写具における筐体閉時のロック構造を、（ｂ）は本発明の転写具における開閉軸部の位置関係を、各々示す図である。
【図５】本発明の転写具における筐体の剛性向上構造について、（ａ）は耐力点を、（ｂ）は支承モデルを、各々示す図である。
【図６】本発明の転写具における筐体の剛性向上構造について、（ａ）は耐力点を、（ｂ）は支承モデルを、各々示す図である。
【図７】本発明の転写具における筐体の剛性向上構造について、（ａ）は耐力点を、（ｂ）は支承モデルを、各々示す図である。
【図８】（ａ）（ｂ）は本発明の転写具における筐体の閉動作性向上構造について各々示す図である。
【発明を実施するための形態】
【００１３】
本発明の転写具は、基材の幅方向中央部に２分割された筐体の結合部位である「セパレート部」が位置する構造において生じていた該セパレート部を押圧することによる歪みや軋みといった異音の発生を抑制するという目的を、主に対向面とこの対向面と直交して隣接する隣接面の２面で構成された一方側と他方側とに筐体を２分割し、前記転写部が位置する側と反対側に該一方側と該他方側の開閉軸部を設けて扇状に開閉する構造とすることで達成した。
【００１４】
また、本発明は、上記構成において、開閉軸部が、転写部が位置する側と反対側へ、該転写部から筐体内における転写部と反対側に位置する巻取コア又は送出コアまでの長さの１／２以上の長さ分突出した位置に設けることで、この突出した部分が操作者の手の親指と人差し指の間の部位に位置してこの部位で転写具全体が安定的に手に支持されることとなり操作がしやすくなる。
【００１５】
さらに、本発明は、上記構成において、交換可能な部材を配置した基板を有し、一方側、他方側の少なくとも一方の筐体の内面と対向する前記基板に、該筐体の内面を外側へ付勢する付勢部材を設けることで、交換部材全体が筐体内でがたつくことなく、筐体内部の異音の発生を抑制することができる。
【００１６】
また、本発明は、上記構成において、交換可能な部材のうちの巻取コア又は送出コアの軸内に、筐体へ装入される前には巻取コア又は送出コアの自由回転を阻止し、該筐体へ装入されて筐体が閉状態となったときには前記自由回転の阻止を解除する回転ロック部材を設けることで、筐体に装入前の交換部材の巻取コアと送出コアの不要な回転を阻止して、基材が弛んだり、不用意に送り出されることが防止できる。
【００１７】
さらに、本発明は、上記構成において、一方側と他方側の筐体の内側に、外圧に対抗する支承部を設けることで、筐体の剛性を向上させることができる。
【実施例】
【００１８】
以下、図１〜図８を参照して本発明の具体的実施形態について説明する。本発明の転写具１の基本構成は、筐体２内に、基材に転写媒体が塗布された転写テープ（不図示）が巻装された送出コア３、転写テープのうちの転写媒体が被転写体へ転写された後の基材を巻き取る巻取コア４、及び転写テープの転写媒体を被転写体へ転写する転写部５を備え、いわゆる詰替タイプ、すなわち、少なくとも、使用後の、基材が巻き取られた巻取コア４及び送出コア３を未使用のそれらと交換する構造とされている。
【００１９】
筐体２は、一方側２Ａと他方側２Ｂとに２分割とされており、以下、本例において一方側２Ａは交換部材が配置される本体として、他方側２Ｂは本体の交換部材を含め内部を覆う蓋として、各々位置付けている。
【００２０】
そして、２分割された一方側２Ａと他方側２Ｂは、図２（ａ）（ｂ）に示すように、後述する図２（ｃ）に示す開閉軸部２Ｃを中心に他方側２Ｂ（蓋）が一方側２Ａ（本体）に対して扇状に開閉可能に構成されている。
【００２１】
一方側２Ａは、主に、閉じた状態で他方側２Ｂの対向面２Ｂａと対向する対向面２Ａａとこの対向面２Ａａと直交して隣接する隣接面２Ａｂにより構成されている。また、他方側２Ｂは、主に、閉じた状態で一方側２Ａの対向面２Ａａと対向する対向面２Ｂａとこの対向面２Ｂａと直交して隣接する隣接面２Ｂｂにより構成されている。
【００２２】
本例の場合、一方側２Ａ及び他方側２Ｂは、対向面２Ａａ，２Ｂａ、隣接面２Ａｂ，２Ｂｂにより、閉じた状態で筐体２の４面を構成するが、６面の残りの２面のうち１面は転写部５の開口を形成する理由から存在せず、残りの２面のうちさらに１面は該筐体２の全体形状が転写部５が位置する側と反対側に向けて尖塔状（以下、この部分を尖塔状部２Ｄという）としているために存在しない。
【００２３】
筐体２の、転写部５が位置する側と反対側（以下、反転写部側という）の尖塔状部２Ｄには、図２（ｃ）に示すように、該尖塔状部２Ｄの端部に開閉軸部２Ｃが設けられている。開閉軸部２Ｃは、他方側２Ｂの尖塔状部２Ｄにおける対向面２Ａａ，２Ｂａ方向両端に形成された軸部２Ｂｃと、一方側２Ａの尖塔状部２Ｄにおける対向する壁面に形成された枢支部２Ａｃと、によってヒンジ構造とされている。
【００２４】
したがって、筐体２は、他方側２Ｂが一方側２Ａに対して開閉軸部２Ｃを中心に転写部５の部位が扇状に旋回して開閉することとなり、一方側２Ａの内部をほぼ全面的に開放することができる。また、本例のように筐体２を構成することで、一方側２Ａと他方側２Ｂとの結合部位のセパレート部が目立つことを防止でき、かつ開閉のための構造を筐体２の内部に突出させて内部空間を圧迫することを防止できる。
【００２５】
また、本例においては、図４（ｂ）に示すように、尖塔状部２Ｄは、反転写部側へ、該転写部５から筐体２内における反転写部側に位置する本例の場合は送出コア３までの長さの１／２以上の長さ分突出させている。こうすることで、他方側２Ｂを一方側２Ａに対して比較的小さい角度の旋回により、内部を全面的に開放することができる。
【００２６】
さらに、一方側２Ａと他方側２Ｂの閉状態の維持に関しては、図４（ａ）に示すように、該他方側２Ｂの転写部５方向の先端部位で隣接面２Ｂｂにおいて対向面２Ｂａが隣接する側と反対側に形成された係合凸部２Ｂｄと、該一方側２Ａの転写部５方向の先端部位の対向面２Ａａの内面側に形成された係合凹部２Ａｄと、によってロックができるよう構成している。
【００２７】
また、本例の転写具１は、筐体２の一方側２Ａと他方側２Ｂを閉時に結合した状態において剛性の向上を図るために、図５〜図７に示す、筐体２の一方側２Ａと他方側２Ｂの内側に外圧に対抗する支承構造を採用している。
【００２８】
例えば、筐体２において、使用時に被転写体に対して直交する面（以下、「側面」という、ちなみに対向面２Ａａは「左側面」、対向面２Ｂａは「右側面」という）には、使用時に筐体２を把持するための力がかかることから、本例では図５及び図７の支承構造を採用している。
【００２９】
さらに、筐体２において、使用時に被転写体に面する側と反対面（以下、「上面」という、ちなみに被転写体に面する側を「下面」という）には、使用時に被転写体へ押圧する力がかかることから、本例では図６の支承構造を採用している。
【００３０】
図５（ａ）は、他方側２Ｂの隣接面２Ｂｂと隣接する対向面２Ｂａと反対面の耐力点Ａにおける剛性向上のための支承面Ａについて示している。支承面Ａは、他方側２Ｂの係合凸部２Ｂｄが形成された部位において該係合突部２Ｂｄの先後方向両端側に設けられた面、尖塔状部２Ｄにおける他方側２Ｂの隣接面２Ｂｂの端面と一方側２Ａの対向面２Ａａ周縁内面とが当接する面と、により形成され、支承面Ａが一方側２Ａの対向面２Ａａの内面と当接することで、左右方向からの荷重を支承する。なお、図５（ｂ）は支承面Ａによる支承モデルを示している。
【００３１】
図６（ａ）は、他方側２Ｂの対向面２Ｂａの耐力点Ｂにおける剛性向上のための支承リブＢについて示している。支承リブＢは、他方側２Ｂの対向面２Ｂａの内面に上面−下面方向に複数本形成し、一方側２Ａの隣接面２Ａｂの内面と当接させることで、上方からの荷重を支承する。なお、図６（ｂ）は支承リブＢによる支承モデルを示している。
【００３２】
図７（ａ）は、尖塔状部２Ｄの耐力点Ｃにおける剛性向上のための一方側２Ａの支承リブＣＡと他方側２Ｂの支承リブＣＢについて示している。支承リブＣＢは、他方側２Ｂの尖塔状部２Ｄの内側において転写部５方向に例えば適当な間隔を有して２枚形延設されている（図８参照）。支承リブＣＡは、一方側２Ａの尖塔状部２Ｄの内側において断面視Ｌ字状とされ、反転写部方向へ間隔を有して２箇所設けられている。そして、耐力点Ｃは、支承リブＣＡのＬ字の縦長辺部が支承リブＣＢの（支承リブＣＡのＬ字縦長辺側の）側面と当接する部位及び支承リブＣＢの下端と支承リブＣＡのＬ字の横辺部とが当接する部位を意味する。なお、図７（ｂ）は耐力点Ｃによる支承モデルを示している。
【００３３】
また、本例における転写具１の筐体２は一方側２Ａと他方側２Ｂの閉動作をスムーズに行うために、例えば、図８（ａ）（ｂ）に示すように、筐体２における一方側２Ａの対向面２Ａａに設けられた部材Ｓ１（例えば本例では支承リブＣＡ），Ｓ２であって該部材の閉時に他方側２Ｂの隣接面２Ｂｂに当接する部位、筐体２における他方側２Ｂの対向面２Ｂａに設けられた部材Ｓ３であって該部材のに閉時と一方側２Ａの隣接面２Ａｂに当接する部位、に面取り加工を施している（面取部Ｐ）。こうすることで、一方側２Ａに対する他方側２Ｂの閉動作がスムーズに行うことができ、当該部位Ｓ１〜Ｓ３などの摺動音を抑制することができる。
【００３４】
次に、本例の転写具１において使用される交換部材について説明する。本例では、転写部５と、送出コア３と、巻取コア４、を交換部材とする。これらは、基板６に支持されている。基板６は、送出コア３及び巻取コア４の軸の一方端、例えば本例では筐体２の他方側２Ｂにおける対向面２Ｂａに臨む側に取り付けられる。
【００３５】
基板６は、その上記配置関係で言うと筐体２の一方側２Ａにおける対向面２Ａａに臨む側の面（以下、この面を内側という）に、送出コア３と巻取コア４の各々の軸支部６Ａ，６Ｂが形成されている。また、基板６は、内側に形成された腕部６ａに支持されて転写部５が設けられている。
【００３６】
基板６において、外側における軸支部６Ａと軸支部６Ｂとの間の位置には、該基板６の外側面からさらに外側へ湾曲して弾性を付与されたばね部６Ｃが形成されている。このばね部６Ｃは、交換部材を装入した状態の筐体２の閉時に、本例の場合、他方側２Ｂの対向面２Ｂａを付勢し、交換部材のがたつきを抑制する。
【００３７】
また、基板６における本例では送出コア３の軸支部６Ａには、その外周面の一部に外径方向に湾曲して弾性を付与された回止部６Ｄが形成されている。この回止部６Ｄは、筐体２が開いているときは、軸支部６Ａに軸支された送出コア３を送出コア３の軸内周を外径方向へ付勢している。
【００３８】
他方側２Ｂの対向面２Ｂａにおける上記回止部６Ｄと対応する位置には、回止解除部６Ｅが形成されている。この回止解除部６Ｅは、筐体２の開時に送出コア３の内周を付勢して不要な回転を阻止し、筐体２の閉時においては回止解除部６Ｅがその他方側２Ｂの旋回移動により回止部６Ｄを内径方向へ押圧して該回止部６Ｄによる送出コア３の内周に対する付勢状態を解除する（これにより該送出コア３が回転可能となる）。
【００３９】
このように構成された本例の転写具１は、筐体２が一方側２Ａと他方側２Ｂがそれぞれ対向面２Ａａ，２Ｂａと隣接面２Ａｂ，２Ｂｂで構成されと共に筐体２の一方側２Ａに対して他方側２Ｂが開閉軸部２Ｃを中心とした扇状に開閉する構造であるので、セパレート部が筐体２の幅方向中央に現れず、よって、セパレート部に手指がかかって把持力や被転写体に対する押圧力を受けないので、歪みや軋みが生じにくく、また、これらに起因した異音の発生が抑制される。
【００４０】
さらに、本例の転写具１は、開閉軸部２Ｃを、転写部５が位置する側と反対側へ、該転写部５から筐体２内における転写部５と反対側に位置する送出コア３までの長さの１／２以上の長さ分突出した尖塔状部２Ｄに設けることで、他方側２Ｂの一方側２Ａに対して小さい角度の回転で筐体２内を全面的に開放できる。
【００４１】
また、本例の転写具１は、上記のように尖塔状部２を長く取ることで、該尖塔状部２を例えば人差指と親指との間にフィットさせて安定した把持状態で使用することが可能となる。
【００４２】
さらには、本例の転写具１は、筐体２の一方側２Ａと他方側２Ｂの内側に外圧に対抗する支承構造を採用することで、剛性が向上する。さらにこうした支承構造においては、一方側２Ａと他方側２Ｂの対向面２Ａａ，２Ｂａ又は隣接面２Ａｂ，２Ｂｂの相互に接触する部位の面取部Ｐを形成しているので、筐体２の閉動作を阻害することがないと共に摺動音を抑制することができる。
【００４３】
また、本例の転写具１は、基板６にばね部６Ｃを形成することで、交換部材が筐体２の内部でがたつくことを抑制でき、また、軸支部６Ａに回止部６Ｄを、他方側２Ｂの対向面２Ｂａに回止解除部６Ｅを設けることで、筐体２の開時には送出コア３が不要に回転することを抑制でき、かつ閉時には送出コア３を円滑に回転させるようにできる。
【００４４】
すなわち、本発明の転写具１は、上記構成とすることで、手指で把持する力あるいは使用時に押圧する力がかかるセパレート部が筐体の幅方向の面の中央ではなく、基材の幅方向端部に現れるので、セパレート部に力がかかることによる歪みや軋み、これに伴う異音の発生を抑制できるだけでなく、剛性の向上、筐体２内での交換部材のがたつきの抑制、送出コア３の不要な基材の送り出しの抑制といった、従来にはない格別の効果を得ることができる。
【符号の説明】
【００４５】
１  転写具
２  筐体
２Ａ  一方側
２Ｂ  他方側
２Ｃ  開閉軸部
２Ｄ  尖塔状部
２Ａａ，２Ｂａ  対向面
２Ａｂ，２Ｂｂ  隣接面
３  送出コア
４  巻取コア
５  転写部
６  基板
６Ａ  軸支部
６Ｂ  軸支部
６Ｃ  ばね部
６Ｄ  回止部
６Ｅ  回止解除部
Ａ  支承面
Ｂ  支承リブ
ＣＡ  支承リブ
ＣＢ  支承リブ
【図１】
0006663192.tif 000002
【図２】
0006663192.tif 000003
【図３】
0006663192.tif 000004
【図４】
0006663192.tif 000005
【図５】
0006663192.tif 000006
【図６】
0006663192.tif 000007
【図７】
0006663192.tif 000008
【図８】
0006663192.tif 000009